(57)【要約】【課題】放熱フィンの構造を最適化し、放熱性を向上させることが可能な照明装置を提供する。【解決手段】照明装置１は、光源取付板２、ＬＥＤ３、基板４、ヒートシンク台５、放熱フィン６等を備える。照明装置１の作動時には、ＬＥＤ３で発生する熱をヒートシンク台５及び放熱フィン６から放熱する。ヒートシンク台５には、放熱フィン６をヒートシンク台５の一辺と平行に取付けることが可能なねじ穴５Ａと、放熱フィン６をヒートシンク台５の対角線と平行に取付けることが可能なねじ穴５Ｂとを設ける。これにより、光源に対する放熱フィン６の位置及び角度が異なる複数種類の照明装置１，１′を容易に組立てることができる。また、例えば光源の発熱量、熱分布等に応じて、放熱フィン６の個数、配置及び向きを適切に設定し、放熱性を向上させることができる。【選択図】図５
2015050158.tif 000002
【特許請求の範囲】
【請求項１】
光を照射する光源が搭載された光源部と、
前記光源部に取付けられ、前記光源に対する位置または角度が異なる複数の部位にそれぞれフィン取付部が設けられたヒートシンク台と、
前記光源から発生する熱を放熱するために、前記ヒートシンク台のフィン取付部に取付けられた少なくとも１個の放熱フィンと、
を備えた照明装置。
【請求項２】
光を照射する光源が搭載された光源部と、前記光源部に取付けられ、前記光源に対する位置または角度が異なる複数の部位にそれぞれフィン取付部が設けられたヒートシンク台と、前記光源から発生する熱を放熱するために、前記ヒートシンク台のフィン取付部に取付けられた少なくとも１個の放熱フィンとにより構成された複数の照明ユニットを備えた照明装置。
【請求項３】
前記複数の照明ユニットは、前記放熱フィンにより少なくも２個の照明ユニットを跨いで直線状に延びる空気の流路が形成されるように組立てる構成とした請求項２に記載の照明装置。
【請求項４】
前記ヒートシンク台は四角形状に形成し、
前記フィン取付部は、前記放熱フィンを前記ヒートシンク台の一辺と平行に取付けることが可能な第１のフィン取付部と、前記放熱フィンを前記ヒートシンク台の対角線と平行に取付けることが可能な第２のフィン取付部とを含む構成としてなる請求項１乃至３のうち何れか１項に記載の照明装置。
【請求項５】
前記ヒートシンク台は３つ以上の辺を有する多角柱状に形成し、
前記光源は前記ヒートシンク台の軸方向の端面に配置し、
前記フィン取付部は、前記ヒートシンク台の各辺に対応する側面部にそれぞれ配置してなる請求項１乃至３のうち何れか１項に記載の照明装置。
【請求項６】
前記ヒートシンク台には、当該ヒートシンク台からの突出寸法または面積が異なる複数種類の前記放熱フィンを設けてなる請求項１乃至５のうち何れか１項に記載の照明装置。
【請求項７】
前記ヒートシンク台と前記放熱フィンとを異なる種類の金属材料により形成してなる請求項１乃至６のうち何れか１項に記載の照明装置。
【発明の詳細な説明】
【技術分野】
【０００１】
本発明は、例えばＬＥＤ（Light Emitting Diode）等を用いた照明装置に関する。
に関する。
【背景技術】
【０００２】
従来技術として、ＬＥＤを光源に用いた照明装置が広く知られている。一般に、ＬＥＤは温度が高くなると発光効率が低下し、寿命も短くなる傾向がある。このため、従来技術の照明装置は、ＬＥＤから放熱するためのヒートシンクを搭載するようにしている。具体的に述べると、例えば特許文献１に記載された従来技術では、１つの照明装置に対して１つのヒートシンクを搭載している。また、特許文献２及び３に記載された従来技術では、照明装置に搭載された個々の光源に対してそれぞれヒートシンクを搭載している。
【０００３】
一方、ＬＥＤを用いた照明装置には、大光束の高天井用シーリングライト等のように、多数のＬＥＤを実装したものがある。一例を挙げると、１００Ｗクラスの照明装置には、通常の１Ｗタイプの表面実装型ＬＥＤが１００個程度実装されている。このような大光束の照明装置は、各ＬＥＤの放熱性を高めるために、複数の放熱フィンを有する大型のヒートシンクを搭載するのが好ましい。
【先行技術文献】
【特許文献】
【０００４】
【特許文献１】特開２００５−２７６４６７号公報
【特許文献２】特許第４８０５３４７号公報
【特許文献３】特開２００９−２８９９０６号公報
【発明の概要】
【発明が解決しようとする課題】
【０００５】
上述した特許文献１に記載された従来技術では、１つの照明装置に対して１つのヒートシンクを搭載している。しかしながら、この場合には、大光束の照明装置を構成しようとすると、ヒートシンクの各放熱フィンの形状及び配置を個々のＬＥＤに対して適切に設定するのが難しいという問題がある。特に、大光束の高天井用シーリングライト等においては、ＬＥＤの個数が増加すると、大型化したヒートシンクの各放熱フィンを自然対流により生じる風の流れ等に適合させるのが難しくなる。
【０００６】
また、大光束の高天井用シーリングライト等においては、ＬＥＤを実装する基板とヒートシンクとをそれぞれアルミニウム等により形成することが多いので、両者の間に絶縁シートを介在させる必要があり、基板からヒートシンクに熱を効率よく伝導させるのが難しいという問題もある。一方、特許文献２及び３に記載された従来技術では、個々の光源に対してそれぞれヒートシンクを配置しているものの、単に同一形状のヒートシンクを複数配置したに過ぎず、自然対流により生じる風の流れ等については考慮されていないという問題がある。
【０００７】
本発明は、上述のような課題を解決するためになされたもので、例えば複数の光源が搭載されている場合でも、放熱フィンの構造を最適化し、放熱性を向上させることが可能な照明装置を提供することを目的とする。
【課題を解決するための手段】
【０００８】
本発明に係る照明装置は、光を照射する光源が搭載された光源部と、光源部に取付けられ、光源に対する位置または角度が異なる複数の部位にそれぞれフィン取付部が設けられたヒートシンク台と、光源から発生する熱を放熱するために、ヒートシンク台のフィン取付部に取付けられた少なくとも１個の放熱フィンと、を備えている。
【発明の効果】
【０００９】
本発明によれば、光源に対する放熱フィンの位置及び角度が異なる複数種類の照明装置を容易に組立てることができる。また、ヒートシンク台と放熱フィンとを個別の部品として形成しているので、１個の照明装置に搭載する放熱フィンの個数を容易に変更することができる。これにより、例えば光源の発熱量、熱分布等に応じて、放熱フィンの個数、配置及び向きを適切に設定し、放熱性を向上させることができる。
【図面の簡単な説明】
【００１０】
【図１】本発明の実施の形態１による照明装置を前面側からみた外観図である。
【図２】図１に示す照明装置を後面側からみた斜視図である。
【図３】図２に示すヒートシンク台及び放熱フィンを側方からみた外観図である。
【図４】本発明の実施の形態１によるヒートシンク台を単体で後面側からみた外観図である。
【図５】本発明の実施の形態１において、放熱フィンの取付位置を変えた照明装置を斜め後方からみた斜視図である。
【図６】図５に示すヒートシンク台及び放熱フィンを側方からみた外観図である。
【図７】本発明の実施の形態１において、高ワットタイプのＬＥＤを用いた場合の変形例を示す図１と同様の外観図である。
【図８】本発明の実施の形態２による照明装置を後面側からみた外観図である。
【図９】本発明の実施の形態３による照明装置を後面側からみた外観図である。
【図１０】本発明の実施の形態４による照明装置を前面側からみた斜視図である。
【図１１】図１０に示す照明装置を前面側からみた外観図である。
【図１２】図１０に示す照明装置を後面側からみた外観図である。
【図１３】本発明の実施の形態５による照明装置を前面側からみた外観図である。
【図１４】本発明の実施の形態６による照明装置を前面側からみた外観図である。
【図１５】本発明の実施の形態７による照明装置を前面側からみた外観図である。
【発明を実施するための形態】
【００１１】
以下、本発明の実施の形態について説明する。なお、本明細書で使用する各図においては、共通する要素に同一の符号を付し、重複する説明を省略するものとする。
【００１２】
実施の形態１．
図１は、本発明の実施の形態１による照明装置を前面側からみた外観図であり、図２は、照明装置を後面側からみた斜視図である。これらの図に示すように、本実施の形態の照明装置１は、光源取付板２、ＬＥＤ３、基板４、ヒートシンク台５、放熱フィン６等を備えている。光源取付板２、ＬＥＤ３及び基板４は、照明装置１の前面側に配置された光源部を構成しており、ヒートシンク台５及び放熱フィン６は、照明装置１の後面側に配置された放熱部を構成している。
【００１３】
光源取付板２は、光源部のベースを構成するもので、例えば四角形状の金属板等により形成されている。光源取付板２の表面（前面）側には、光を照射する光源である複数のＬＥＤ３が基板４を介して搭載されている。本実施の形態では、例えば比較的小さな電力で作動する低ワットタイプのＬＥＤ３を使用し、複数のＬＥＤ３を四角形状の基板４の表面に格子状に並べて実装した場合を例示している。そして、光源取付板２の表面には、複数の基板４が互いに間隔をあけて実装されている。なお、光源取付板２と基板４の両方を金属材料により形成した場合には、両者間に絶縁シート等の絶縁材料を配置して光源取付板２と基板４とを絶縁する必要がある。絶縁シートを用いた場合には、光源取付板２と基板４とを密着させて両者間の熱伝導性を向上させることができる。
【００１４】
次に、図２乃至図４を参照して、照明装置１の放熱部について説明する。ここで、図３は、図２に示すヒートシンク台及び放熱フィンを側方からみた外観図であり、図４は、ヒートシンク台を単体で後面側からみた外観図である。ヒートシンク台５は、放熱部のベースを構成するもので、例えば光源取付板２と同形状の金属板等により形成され、光源取付板２の裏面（後面）側に重ね合わせた状態で取付けられている。また、ヒートシンク台５には、放熱フィン６が取付けられる複数のねじ穴５Ａ，５Ｂが形成されている。
【００１５】
ヒートシンク台５及び放熱フィン６は、各ＬＥＤ３を含む光源部から発生する熱を放熱するもので、放熱フィン６は、例えば四角形状の平坦な金属板等により構成されている。放熱フィン６の基端側となる一辺はＬ字状に屈曲して形成され、この屈曲部にはヒートシンク台５のねじ穴５Ａ，５Ｂにねじ止めされるねじ穴（図示せず）が形成されている。そして、放熱フィン６は、図２及び後述の図５に示すように、基端側がヒートシンク台５に着脱可能に取付けられることにより、ヒートシンク台５の裏面側から垂直に立った状態で突出し、光源部から発生する熱を周囲の空間に効率よく放熱するように構成されている。
【００１６】
ここで、複数のねじ穴５Ａは、図４に示すように、例えばヒートシンク台５の一辺と平行なＤ１方向に間隔をもって配置されると共に、Ｄ１方向と直交するＤ２方向に並べて配置されている。換言すると、ヒートシンク台５には、互いにＤ１方向に離間した複数のねじ穴５Ａを１組として、複数組のねじ穴５ＡがＤ２方向に並べて配置されている。そして、照明装置１においては、図２及び図３に示すように、複数の放熱フィン６がねじ止めにより各組のねじ穴５Ａにそれぞれ取付けられている。これらの放熱フィン６は、ヒートシンク台５の一辺と平行なＤ１方向に延在し、Ｄ２方向に間隔をもって並んでいる。
【００１７】
一方、複数のねじ穴５Ｂは、前記Ｄ１方向に対して傾斜したＤ３方向に間隔をもって配置されると共に、Ｄ３方向と直交するＤ４方向に並べて配置されている。ここで、Ｄ３方向は、ヒートシンク台５の対角線と平行な方向として設定してもよい。ヒートシンク台５には、互いにＤ３方向に離間した複数のねじ穴５Ｂを１組として、複数組のねじ穴５ＢがＤ４方向に並べて配置されている。そして、各組のねじ穴５Ｂには、後述のように放熱フィン６が取付可能となっている。このように、ヒートシンク台５のねじ穴５Ａ，５Ｂは、ＬＥＤ３に対する位置または角度が異なる２個のフィン取付部を構成しており、ねじ穴５Ａは第１のフィン取付部に対応し、ねじ穴５Ｂは第２のフィン取付部に対応している。
【００１８】
上記構成により、ヒートシンク台５のねじ穴５Ｂに放熱フィン６を取付けた場合には、図５及び図６に示す照明装置１′を組立てることができる。図５は、本発明の実施の形態１において、放熱フィンの取付位置を変えた照明装置を斜め後方からみた斜視図であり、図６は、図５に示すヒートシンク台及び放熱フィンを側方からみた外観図である。これらの図に示すように、照明装置１′においては、複数の放熱フィン６がねじ止めにより各組のねじ穴５Ｂにそれぞれ取付けられている。これらの放熱フィン６は、ヒートシンク台５の対角線と平行なＤ３方向に延在し、Ｄ４方向に間隔をもって並んでいる。
【００１９】
なお、図４中に示すねじ穴５Ａ（５Ｂ）は、ねじ穴５Ａとねじ穴５Ｂとを兼用したものである。また、ヒートシンク台５には、ねじ穴５Ａ，５Ｂの開口部位の表面側にナットを埋め込むためのザグリ穴を形成してもよい。これにより、放熱フィン６は、ボルト及びナットを用いてヒートシンク台５に固定することができる。
【００２０】
以上詳述した通り、本実施の形態によれば、ヒートシンク台５のねじ穴５Ａ，５Ｂを使い分けることにより、ＬＥＤ３に対する放熱フィン６の位置及び角度が異なる２種類の照明装置１，１′を容易に組立てることができる。また、ヒートシンク台５と放熱フィン６とを個別の部品として形成しているので、１個の照明装置１，１′に搭載する放熱フィン６の個数を容易に変更することができる。これにより、例えば光源取付板２の大きさ、ＬＥＤ３の搭載個数、総消費電力等に応じて、放熱フィン６の個数、配置及び向きを適切に設定することができる。
【００２１】
具体的に述べると、本実施の形態では、放熱フィン６をヒートシンク台５の一辺と平行に取付けたり、対角線と平行に取付けることができる。これにより、例えばＬＥＤ３の熱により生じる空気の対流の方向に対して、放熱フィン６の向きを一致させることができ、空気の対流を利用してＬＥＤ３の熱を効率よく放熱することができる。また、ヒートシンク台５及び放熱フィン６を共通の部品として複数種類の放熱部を組立てることができるので、照明装置１，１′毎に形状が異なる専用のヒートシンク等を成形する必要がなくなり、少ない部品点数で最適な形状の放熱部を形成することができ、照明装置１，１′の放熱性を向上させることができる。
【００２２】
また、本実施の形態では、部屋の壁面等に対してヒートシンク台５を平行に配置した状態で、図５に示すように、放熱フィン６をヒートシンク台５の対角線の方向に延在させることができる。これにより、ＬＥＤ３から発生する熱の対流を考慮するだけでなく、壁面等に配置した照明装置１，１′の美観によっても放熱フィン６の向きを決定することができる。即ち、例えば放熱フィン６が壁面等に対して斜めに配置されることで美観が低下するのを回避することができる。
【００２３】
なお、本実施の形態では、ヒートシンク台５にフィン取付部となるねじ穴５Ａ，５Ｂを設け、放熱フィン６をねじ止めによりヒートシンク台５に取付ける構成とした。しかし、本発明はこれに限らず、ヒートシンク台にフィン取付部となる長溝を形成し、放熱フィンを長溝に嵌め込むことでヒートシンク台に取付ける構成としてもよい。
【００２４】
また、本実施の形態では、１種類の放熱フィン６をヒートシンク台５に取付ける場合を例示した。しかし、本発明は、放熱フィン６を、ヒートシンク台５に対して着脱可能な個別の部品として構成しているので、形状または面積が異なる複数種類の放熱フィン６を１個のヒートシンク台５に取付ける構成としてもよい。具体例を挙げると、ＬＥＤ３が密集して配置されている部分では、ヒートシンク台５からの突出寸法（高さ寸法）または面積が大きな放熱フィン６をヒートシンク台５に取付けることで、放熱効率を高めてもよい。また、ＬＥＤ３が密集していない部分では、高さ寸法または面積が比較的小さな放熱フィン６をヒートシンク台５に取付けてもよい。このように、本実施の形態によれば、ＬＥＤ３の熱分布等に応じて各部の放熱フィン６をそれぞれ最小限の大きさに形成することができるので、放熱部の小型軽量化が容易な照明装置を実現することができる。
【００２５】
また、放熱部（ヒートシンク）の材質としては、アルミニウム等のように熱伝導率が大きな金属材料を用いるのが好ましい。しかし、放熱部の形状が複雑な場合には、熱伝導率が比較的小さなアルミダイカスト等を用いて放熱部を形成するのが一般的である。これに対し、本実施の形態では、ヒートシンク台５と放熱フィン６とを個別の部品として構成しているので、放熱フィン６の形状を押出し成形が可能な単純形状に設定し、アルミニウム等の金属材料を用いて熱伝導率が高い放熱フィン６を形成することができる。
【００２６】
さらに、本実施の形態では、ヒートシンク台５と放熱フィン６とをそれぞれ異なる種類の金属材料により形成してもよい。具体例を挙げると、放熱フィン６をアルミニウムにより形成し、ヒートシンク台５は、アルミニウムよりも高価だが熱伝導率が大きな銅により形成してもよい。これにより、放熱部のコストアップを抑えつつ、ヒートシンク台５を含む平面に沿った方向において放熱部の熱伝導性を高めることができる。従って、放熱部の放熱性能、コスト、強度等をバランスよく改善することができる。
【００２７】
なお、前記実施の形態１では、低ワットタイプのＬＥＤ３を用いる場合を例示した。しかし、本発明は、図７に示す変形例のように、照明装置１″の光源として、例えばＣＯＢ（チップオンボード）により構成された高ワットタイプのＬＥＤ３′を用いてもよい。なお、図７は、本発明の実施の形態１において、高ワットタイプのＬＥＤを用いた場合の変形例を示す図１と同様の外観図である。
【００２８】
また、実施の形態１では、１種類の形状を有する複数の放熱フィン６を用いる場合を例示した。しかし、本発明はこれに限らず、１個の照明装置に対して、互いに形状が異なる複数種類の放熱フィンを用いる構成としてもよい。また、ヒートシンク台５に設ける放熱フィン６は１個のみであってもよい。
【００２９】
実施の形態２．
次に、図８を参照して、本発明の実施の形態２について説明する。図８は、本発明の実施の形態２による照明装置を後面側からみた外観図である。この図に示すように、本実施の形態による照明装置２１は、例えば２個の照明ユニット２２により構成されている。個々の照明ユニット２２は、前記実施の形態１による照明装置１と同様に構成され、複数の放熱フィン６がヒートシンク台５の一辺と平行に取付けられている。
【００３０】
そして、各照明ユニット２２は、互いの放熱フィン６が直線状に並んだ状態、即ち、放熱フィン６の向きを互いに揃えた状態で一体化され、照明装置２１を構成している。より詳しく述べると、これらの照明ユニット２２の放熱フィン６は、各照明ユニット２２を跨いで直線状に延びる複数の対流通路２３を形成している。そして、対流通路２３は、ＬＥＤ３の熱により発生する空気の対流が流れる流路を構成している。
【００３１】
このように構成される本実施の形態によれば、ＬＥＤ３の熱により生じた空気の対流を対流通路２３に沿って流通させることができ、複数の照明ユニット２２を跨ぐ対流を安定的に形成することができる。これにより、前記実施の形態１と同様の効果に加えて、大型の照明装置２１においても放熱性を高めることができる。
【００３２】
実施の形態３．
次に、図９を参照して、本発明の実施の形態３について説明する。図９は、本発明の実施の形態３による照明装置を後面側からみた外観図である。この図に示すように、本実施の形態による照明装置３１は、例えば４個の照明ユニット３２により構成されている。個々の照明ユニット３２は、前記実施の形態１による照明装置１′と同様に構成され、複数の放熱フィン６がヒートシンク台５の対角線と平行に取付けられている。また、４個の照明ユニット３２は、ヒートシンク台５が同一平面上に格子状に配置され、２組の照明ユニット３２がそれぞれヒートシンク台５の対角線の方向において対向している。
【００３３】
そして、各組の照明ユニット３２は、互いの放熱フィン６が前記対角線と平行な方向において直線状に並んだ状態、即ち、放熱フィン６の向きを互いに揃えた状態で一体化されている。これらの放熱フィン６は、各照明ユニット３２を跨いで直線状に延びる複数の対流通路３３を形成している。そして、対流通路３３は、ＬＥＤ３の熱により発生する空気の対流が流れる流路を構成している。
【００３４】
このように構成される本実施の形態によれば、４個の照明ユニット３２を一体化した照明装置３１においても、対流通路３３を形成することができ、前記実施の形態２と同様の効果を得ることができる。
【００３５】
実施の形態４．
次に、図１０乃至図１２を参照して、本発明の実施の形態４について説明する。図１０は、本発明の実施の形態４による照明装置を前面側からみた斜視図である。図１１は、図１０に示す照明装置を前面側からみた外観図であり、図１２は、照明装置を後面側からみた外観図である。これらの図に示すように、本実施の形態による照明装置４１は、ヒートシンク台４２、放熱フィン４３及び前述のＬＥＤ３′を備えている。
【００３６】
ヒートシンク台４２は、例えば金属材料により３つ以上の辺を有する多角柱状に形成されており、その軸方向の片側の端面は、ＬＥＤ３′が取付けられた光源取付部４２Ａを構成している。光源取付部４２Ａ及びＬＥＤ３′は、照明装置４１の前面側に配置された光源部を構成し、ヒートシンク台４２及び放熱フィン４３は、照明装置４１の後面側に配置された放熱部を構成している。なお、ヒートシンク台４２は多角形状の中実な金属柱により形成してもよいし、図１２に示すように、多角形状の中空な金属筒により形成してもよい。また、中実な金属柱にザグリを入れて軽量化したものでもよい。但し、ヒートシンク台４２の熱伝導性は、ザグリのない中実な金属柱を用いた場合に最良となる。
【００３７】
ヒートシンク台４２の側面部には、多角形の各辺に対応する位置に平面状のフィン取付部４２Ｂがそれぞれ設けられている。これらのフィン取付部４２Ｂは、ＬＥＤ３′に対する位置または角度が異なる複数の部位に配置されているもので、各フィン取付部４２Ｂには、例えばねじ止め等の手段により複数の放熱フィン４３が取付可能となっている。なお、本実施の形態では、ヒートシンク台４２を六角柱状に形成して６個のフィン取付部４２Ｂを設け、全てのフィン取付部４２Ｂに放熱フィン４３を２個ずつ取付けた状態を例示している。しかし、本発明はこれに限らず、ヒートシンク台４２を六角形以外の多角柱状に形成してもよい。
【００３８】
放熱フィン４３は、例えば四角形状の平坦な金属板等により構成されている。放熱フィン６の基端側となる一辺はＬ字状に屈曲して形成され、この屈曲部はヒートシンク台４２のフィン取付部４２Ｂに取付可能となっている。そして、放熱フィン４３は、図１１及び図１２に示すように、基端側がヒートシンク台４２のフィン取付部４２Ｂに着脱可能に取付けられることにより、ヒートシンク台４２の側面部から垂直に立った状態で突出している。また、各フィン取付部４２Ｂに取付けられた放熱フィン４３を全体としてみると、ＬＥＤ３′を中心として放射状に配置されている。これにより、放熱フィン４３は、光源部から発生する熱を周囲の空間に効率よく放熱するように構成されている。
【００３９】
このように構成される本実施の形態でも、前記実施の形態１とほぼ同様の効果を得ることができる。即ち、ヒートシンク台４２の何れのフィン取付部４２Ｂに放熱フィン４３を取付けるかによって、後述のように複数種類の照明装置を構成することができる。また、ヒートシンク台４２と放熱フィン４３とを個別の部品として形成しているので、１個の照明装置に搭載する放熱フィン４３の個数を変更したり、形状が異なる複数種類の放熱フィン４３を搭載することを容易に行うことができる。
【００４０】
実施の形態５．
次に、図１３を参照して、本発明の実施の形態５について説明する。図１３は、本発明の実施の形態５による照明装置を前面側からみた外観図である。この図に示すように、本実施の形態による照明装置５１は、例えば２個の照明ユニット５２により構成されている。個々の照明ユニット５２は、前記実施の形態４による照明装置４１とほぼ同様に構成されているものの、放熱フィン４３は５個のフィン取付部４２Ｂに取付けられ、他の１個のフィン取付部４２Ｂには放熱フィン４３が存在しない状態となっている。
【００４１】
また、各照明ユニット５２のヒートシンク台４２は、互いに軸線が平行に配置され、かつ、放熱フィン４３を取付けていないフィン取付部４２Ｂが互いに対向するように配置されている。この状態で、各照明ユニット５２は一体化され、大型の照明装置５１を構成している。このように、複数の照明ユニット５２を一体化した場合には、熱源であるＬＥＤ３′が密集した状態となるので、照明ユニット５２同士が対向する部位に放熱フィンを配置すると、放熱フィンが有効に機能せず、ヒートシンク台４２の放熱性が低下し易い。このため、本実施の形態では、照明ユニット５２同士の対向部位となるフィン取付部４２Ｂには、放熱フィン４３を配置せず、フィン取付部４２Ｂ同士を対向させることにより、ヒートシンク台４２間の熱伝導性を高める構成としている。
【００４２】
このように構成される本実施の形態によれば、複数の照明ユニット５２を一体化した場合において、一部の放熱フィン４３を取外した構成を容易に実現することができる。これにより、前記実施の形態４と同様の部品を用いて、ヒートシンク台４２間の熱伝導性を高めたり、ＬＥＤ３′の熱により発生する対流に沿った方向にのみ放熱フィン４３を配置することができる。従って、大型の照明装置５１においても、前記実施の形態４と同様の効果に加えて、照明装置５１全体の放熱性を向上させることができる。
【００４３】
実施の形態６．
次に、図１４を参照して、本発明の実施の形態６について説明する。図１４は、本発明の実施の形態６による照明装置を前面側からみた外観図である。この図に示すように、本実施の形態による照明装置６１は、前記実施の形態５とほぼ同様に、例えば２個の照明ユニット６２を平行に配置することにより構成されている。また、個々の照明ユニット６２において、放熱フィン４３は、例えば６個のフィン取付部４２Ｂのうち相手方の照明ユニット６２から離れた３個のフィン取付部４２Ｂだけに取付けられ、相手方の照明ユニット６２寄りに位置する３個のフィン取付部４２Ｂには放熱フィン４３が存在しない状態となっている。
【００４４】
このように構成される本実施の形態でも、前記実施の形態５と同様の効果を得ることができる。特に、実施の形態５と比較して、ヒートシンク台４２間の距離を短くしたり、互いに対向するフィン取付部４２Ｂ同士を密着させることができるので、ヒートシンク台４２間の熱伝導性を更に向上させることができる。
【００４５】
実施の形態７．
次に、図１５を参照して、本発明の実施の形態７について説明する。図１５は、本発明の実施の形態７による照明装置を前面側からみた外観図である。この図に示すように、本実施の形態による照明装置７１は、前記実施の形態５による照明ユニット５２と、前記実施の形態６による照明ユニット６２とを組合わせることにより構成されている。これらの照明ユニット５２，６２は、ヒートシンク台４２が互いに軸線が平行に配置され、かつ、放熱フィン４３を取付けていないフィン取付部４２Ｂが互いに対向するように配置されている。このように構成される本実施の形態でも、前記実施の形態６と同様の効果を得ることができ、例えば互いに対向するフィン取付部４２Ｂ同士を密着させて熱伝導性を向上させることができる。
【００４６】
なお、前記実施の形態５乃至７では、複数の照明ユニット５２，６２を組合わせて一体化する場合において、有効に機能しない放熱フィン４３を取付けない構成とした。この構成は、実施の形態２，３にも適用することができる。さらに言えば、実施の形態１乃至７では、それぞれ個別の構成を例示したが、本発明は、これらの個々の構成のみに限定されるものではない。即ち、本発明では、例えば実施の形態１乃至７のうち組合わせが可能な複数の構成を組合わせることにより、単一の照明装置を実現してもよい。具体例を挙げると、実施の形態２乃至７において、形状または面積が異なる複数種類の放熱フィン４３を１個のヒートシンク台４２に取付けてもよいし、ヒートシンク台４２と放熱フィン４３とをそれぞれ異なる種類の金属材料により形成してもよい。
【００４７】
また、実施の形態１乃至７では、放熱性を向上させるために、放熱フィン６，４３の表面にアルミニウムの陽極酸化皮膜を形成する処理（所謂アルマイト処理）を行う構成としてもよい。
【００４８】
また、実施の形態１乃至７では、光源としてＬＥＤ３，３′を例示したが、本発明はＬＥＤに限らず、他の各種の光源に適用されるものである。
【符号の説明】
【００４９】
１，１′，２１，３１，４１，５１，６１，７１  照明装置，２  光源取付板（光源部），３，３′  ＬＥＤ（光源部、光源），４  基板（光源部），５，４２  ヒートシンク台，５Ａ，５Ｂ  ねじ穴（フィン取付部），６，４３  放熱フィン，２２，３２，５２，６２  照明ユニット，２３  対流通路（空気の流路），４２Ａ  光源取付部，４２Ｂ  フィン取付部
【図１】
2015050158.tif 000003
【図２】
2015050158.tif 000004
【図３】
2015050158.tif 000005
【図４】
2015050158.tif 000006
【図５】
2015050158.tif 000007
【図６】
2015050158.tif 000008
【図７】
2015050158.tif 000009
【図８】
2015050158.tif 000010
【図９】
2015050158.tif 000011
【図１０】
2015050158.tif 000012
【図１１】
2015050158.tif 000013
【図１２】
2015050158.tif 000014
【図１３】
2015050158.tif 000015
【図１４】
2015050158.tif 000016
【図１５】
2015050158.tif 000017